(57)【特許請求の範囲】
【請求項１】
遊技領域を形成する遊技盤と、中央に前記遊技盤を収容するための開口部が形成され該遊技盤を着脱可能に装着する前面枠と、該前面枠の背部で前記開口部の一側に後方へと突出するように設けられた遊技球の排出装置と、を備え、該遊技盤の後方に変動表示ゲームを表示する画像表示装置が配設された遊技機において、
前記前面枠は、前記開口部に対応して前面側に前記遊技盤を収納する収納空間を形成可能に後方側に突出する矩形状の囲い壁部を備え、
前記排出装置が設けられた側に対向する側の囲い壁部は、前記画像表示装置を配設するための第１の裏機構枠と、前記画像表示装置の表示制御を行う表示制御装置を配設するための第２の裏機構枠と、をそれぞれ回動可能に軸支する軸着部を備え、
前記排出装置が設けられた側の囲い壁部は、前記排出装置の後端位置まで後方に延出され、前記第１の裏機構枠を係止して非回動状態とする係止部と、前記第２の裏機構枠を固定して非回動状態とする固定部と、を備え、
前記第１および第２の裏機構枠の非回動状態では、該第２の裏機構枠が、前記第１の裏機構枠の後方側に重なり合うとともに、前記排出装置の後端よりも前方に位置するように構成し、
前記第１の裏機構枠を前記前面枠に対して着脱自在に装着したことを特徴とする遊技機。
【請求項２】
前記表示制御装置は、
前記第２の裏機構枠の背面側に取り付けられ、複数種の遊技盤で共通して使用可能な演算機能を有する演算制御装置と、
前記演算制御装置に対してコネクタを介して電気的に接続された状態で取り付けられ、前記画像表示装置に表示する遊技盤固有の画像のデータを記憶する記憶手段を有する記憶制御装置と、
から構成されたことを特徴とする請求項１に記載の遊技機。
【請求項３】
前記第２の裏機構枠の背面側には、
遊技の進行を制御するとともに前記表示制御装置に対して表示指令信号を送信する遊技制御装置と、
前記遊技盤の装飾装置を駆動するためのドライバを搭載した駆動制御装置と、
を配設したことを特徴とする請求項２に記載の遊技機。
【請求項４】
前記第１の裏機構枠は、前後動可能に軸着され、
前記第２の裏機構枠の前面に前記第１の裏機構枠を前方側に押圧する押圧部材を備えたことを特徴とする請求項３に記載の遊技機。
【請求項５】
前記第１および第２の裏機構枠は導電性の部材で構成され、
前記囲い壁部の左右方向外側には前記前面枠を施錠する導電性の施錠装置が配設され、
前記前面枠の囲い壁部の後端部には、前記第１および第２の裏機構枠の回動軸を有する導電性の軸形成部材を配設し、
前記軸形成部材には、前記囲い壁部の左右方向外側面に沿って前方に延在する延在部材が形成され、
前記延在部材の外側に前記施錠装置が重なり合うように構成し、該延在部材と施錠装置との間に弾性を有するとともに導電性の接続部材を介在させたことを特徴とする請求項４に記載の遊技機。
【請求項６】
前記第１の裏機構枠の背面側には、前記画像表示装置としての液晶表示装置を駆動するためのインバーター装置が配設され、
該インバーター装置は、インバーター基板と、該インバーター基板を収納する収納ケースとからなり、
前記第１の裏機構枠におけるインバーター装置の上部には、当該インバーター装置の上部を覆う上部カバー部材を前記第２の裏機構枠の上端部まで延出するように形成し、
前記第２の裏機構枠におけるインバーター装置の後方には、当該インバーター装置を覆うカバー部材を形成し、
前記上部カバー部材は、前記インバーター装置および前記カバー部材の上部を覆い、
前記カバー部材は、前記第１および第２の裏機構枠を非回動状態とした場合にインバーター装置の左右側部と後方および下方を覆うようにしたことを特徴とする請求項１から５の何れか一項に記載の遊技機。
【発明の詳細な説明】
【技術分野】
【０００１】
本発明は、遊技領域を形成する遊技盤と、該遊技盤を着脱可能に装着する前面枠とを備え、該遊技盤の後方に変動表示ゲームを表示する画像表示装置を備えた遊技機に関する。
【背景技術】
【０００２】
従来、遊技領域が形成される遊技盤を前面枠に着脱自在に装着するようにした遊技機が知られている。遊技盤には複数の識別情報を変動表示可能な画像表示装置が備えられ各機種固有の画像を表示し、また、遊技盤には各機種固有の装飾部材やセル板が設けられている。最近では、画像表示装置として液晶表示装置等を設けることが増えている。そして、遊技機の機種を変更する際には、遊技機全体を交換せずに、遊技盤のみを交換することも可能であるが、従来の遊技機の場合には、遊技盤に画像表示装置が取り付けられていることから、遊技盤の交換の際には比較的高価な画像表示装置も交換することとなっている。また、画像表示装置を本体枠側に配設して遊技盤と画像表示装置を別構成にすることで、遊技盤を交換する際でも、画像表示装置をそのまま前面枠側に残せるようにした遊技機も考えられている（例えば、特許文献１参照）。
【特許文献１】特開２００３−３２００９４号公報
【発明の開示】
【発明が解決しようとする課題】
【０００３】
しかしながら、画像表示装置は遊技機の機種毎にその大きさや配設位置等が変化する場合が多いが、それに対して画像表示装置が前面枠に固定的に取り付けられる構成であると、前面枠の画像表示装置の位置にあわせて遊技盤の設計を行わなければならなかったり、それほど大型の画像表示装置を必要としない遊技盤に対しても前面枠に大型の画像表示装置が配設されていることから必要ないのにこれを使用しなければならなかったり、等の課題が生じる。さらに、前面枠の裏面側には画像表示装置の他に画像表示装置を制御する表示制御装置を配設する必要があるが、画像表示装置の大型化に伴い表示制御装置も大型化していることから、前面枠裏面の限られたスペース内にこれらの装置を配設することが困難となっている。
【０００４】
本発明の目的は、遊技領域を形成する遊技盤と、該遊技盤を着脱可能に装着する前面枠とを備え、該遊技盤の後方に変動表示ゲームを表示する画像表示装置を備えた遊技機において、遊技盤や画像表示装置の交換を容易にするとともに、前面枠の裏面の限られたスペース内に各装置を効率よく配設することである。
【課題を解決するための手段】
【０００５】
以上の課題を解決するため、請求項１に記載の発明は、遊技領域を形成する遊技盤と、中央に前記遊技盤を収容するための開口部が形成され該遊技盤を着脱可能に装着する前面枠と、該前面枠の背部で前記開口部の一側に後方へと突出するように設けられた遊技球の排出装置と、を備え、該遊技盤の後方に変動表示ゲームを表示する画像表示装置が配設された遊技機において、
前記前面枠は、前記開口部に対応して前面側に前記遊技盤を収納する収納空間を形成可能に後方側に突出する矩形状の囲い壁部を備え、
前記排出装置が設けられた側に対向する側の囲い壁部は、前記画像表示装置を配設するための第１の裏機構枠と、前記画像表示装置の表示制御を行う表示制御装置を配設するための第２の裏機構枠と、をそれぞれ回動可能に軸支する軸着部を備え、
前記排出装置が設けられた側の囲い壁部は、前記排出装置の後端位置まで後方に延出され、前記第１の裏機構枠を係止して非回動状態とする係止部と、前記第２の裏機構枠を固定して非回動状態とする固定部と、を備え、
前記第１および第２の裏機構枠の非回動状態では、該第２の裏機構枠が、前記第１の裏機構枠の後方側に重なり合うとともに、前記排出装置の後端よりも前方に位置するように構成し、
前記第１の裏機構枠を前記前面枠に対して着脱自在に装着したことを特徴とする。
【０００６】
ここで、「非回動時」とは、裏機構枠が回動不能となるように（他端側を）固定した状態であって、通常、遊技機を使用する際（遊技を行う際）にはこの状態とする。
【０００７】
請求項１に記載の発明によれば、第１および第２の裏機構枠が回動可能に配設されるので、補修や点検時の作業性が向上する。また、第１および第２の裏機構枠の非回動時には、該第２の裏機構枠が第１の裏機構枠の後方側に重なり合うように構成されているので、前面枠の裏面の限られたスペース内に各装置を効率よく配設することが可能となる。また、第１の裏機構枠を前面枠に対して着脱自在に装着したので、機種変更時に遊技盤のみを交換する場合に、画像表示装置がそのまま使用できるものであれば、画像表示装置を残して次の機種でも使用できるようになる。さらに、機種変更で画像表示装置を交換する必要がある場合には、簡単に画像表示装置を別のものに交換することができ、交換時の作業性を極めて高めることができる。
【０００８】
請求項２に記載の発明は、請求項１に記載の遊技機であって、前記表示制御装置は、
前記第２の裏機構枠の背面側に取り付けられ、複数種の遊技盤で共通して使用可能な演算機能を有する演算制御装置と、
前記演算制御装置に対してコネクタを介して電気的に接続された状態で取り付けられ、前記画像表示装置に表示する遊技盤固有の画像のデータを記憶する記憶手段を有する記憶制御装置と、
から構成されたことを特徴とする。
【０００９】
請求項２に記載の発明によれば、表示制御装置は、第２の裏機構枠の背面側に取り付けられ、複数種の遊技盤で共通して使用可能な演算機能を有する演算制御装置と、演算制御装置に対してコネクタを介して電気的に接続された状態で取り付けられ、画像表示装置に表示する遊技盤固有の画像のデータを記憶する記憶手段を有する記憶制御装置と、から構成されているので、機種変更時に演算制御装置を残して記憶制御装置のみを交換すればよいので交換時の効率を更に高めることができる。
【００１０】
請求項３に記載の発明は、請求項２に記載の遊技機であって、前記第２の裏機構枠の背面側には、
遊技の進行を制御するとともに前記表示制御装置に対して表示指令信号を送信する遊技制御装置と、
前記遊技盤の装飾装置を駆動するためのドライバを搭載した駆動制御装置と、
を配設したことを特徴とする。
【００１１】
請求項３に記載の発明によれば、第２の裏機構枠の背面側には、遊技の進行を制御するとともに表示制御装置に対して表示指令信号を送信する遊技制御装置と、遊技盤の装飾装置を駆動するためのドライバを搭載した駆動制御装置と、を配設したので、各装置を前面枠の裏面に更に効率よく配置することができる。
【００１２】
請求項４に記載の発明は、請求項３に記載の遊技機であって、前記第１の裏機構枠は、前後動可能に軸着され、
前記第２の裏機構枠の前面に前記第１の裏機構枠を前方側に押圧する押圧部材を備えたことを特徴とする。
【００１３】
請求項４に記載の発明によれば、第１の裏機構枠は、前後動可能に軸着され、第２の裏機構枠の前面に第１の裏機構枠を前方側に押圧する押圧部材を備えたので、遊技盤に配設されたセンターケースの後方突出部の長さが変化しても、その長さに合わせて第１の裏機構枠の前後位置が変化するので、遊技盤の変更時にセンターケースと第１の裏機構枠との間に隙間が形成されてしまうといった課題を解決できる。
【００１４】
請求項５に記載の発明は、請求項４に記載の遊技機であって、前記第１および第２の裏機構枠は導電性の部材で構成され、
前記囲い壁部の左右方向外側には前記前面枠を施錠する導電性の施錠装置が配設され、
前記前面枠の囲い壁部の後端部には、前記第１および第２の裏機構枠の回動軸を有する導電性の軸形成部材を配設し、
前記軸形成部材には、前記囲い壁部の左右方向外側面に沿って前方に延在する延在部材が形成され、
前記延在部材の外側に前記施錠装置が重なり合うように構成し、該延在部材と施錠装置との間に弾性を有するとともに導電性の接続部材を介在させたことを特徴とする。
【００１５】
ここで、「接続部材」は、例えば、金属製のばね、導電性のゴムやプラスチック、電子機器のＥＭＩ（電磁妨害）対策に用いられる導電性のガスケットを用いることができる。
また、接続部材の固定は、導電性を有する両面テープや、導電性を有する接着剤などで固定する。また、接触する面（前後の面）の両方を固定しても良いし、片方のみを固定するようにしても良い。
【００１６】
請求項５に記載の発明によれば、第１および第２の裏機構枠は導電性の部材で構成され、前面枠は、前面側に遊技盤を収納する収納空間を形成可能に後方側に突出する矩形状の囲い壁部を備え、囲い壁部の左右方向外側には前面枠を施錠する導電性の施錠装置が配設され、前面枠の囲い壁部の後端部には、第１および第２の裏機構枠の回動軸を有する導電性の軸形成部材を配設し、軸形成部材には、囲い壁部の左右方向外側面に沿って前方に延在する延在部材が形成され、延在部材の外側に施錠装置が重なり合うように構成し、該延在部材と施錠装置との間に弾性を有するとともに導電性の接続部材を介在させたので、第１および第２の裏機構枠に帯電した静電気を逃がすことができる。
【００１７】
請求項６に記載の発明は、請求項１から５の何れか一項に記載の遊技機であって、前記第１の裏機構枠の背面側には、前記画像表示装置としての液晶表示装置を駆動するためのインバーター装置が配設され、
該インバーター装置は、インバーター基板と、該インバーター基板を収納する収納ケースとからなり、
前記第１の裏機構枠におけるインバーター装置の上部には、当該インバーター装置の上部を覆う上部カバー部材を前記第２の裏機構枠の上端部まで延出するように形成し、
前記第２の裏機構枠におけるインバーター装置の後方には、当該インバーター装置を覆うカバー部材を形成し、
前記上部カバー部材は、前記インバーター装置および前記カバー部材の上部を覆い、
前記カバー部材は、前記第１および第２の裏機構枠を非回動状態とした場合にインバーター装置の左右側部と後方および下方を覆うようにしたことを特徴とする。
【００１８】
請求項６に記載の発明によれば、第１の裏機構枠の背面側には、画像表示装置としての液晶表示装置を駆動するためのインバーター装置が配設され、第１の裏機構枠におけるインバーター装置の上部には、当該インバーター装置の上部を覆う上部カバー部材を第２の裏機構枠の上端部まで延出するように形成したので、インバーター装置を第１の裏機構枠の背面側に配設することにより効率よく各装置を配置することができる。また、インバーター装置を第１の裏機構枠の背面に配設すると、上方（貯留タンク）から落下する遊技球がインバーター装置に衝突して故障してしまう虞があるが、上部カバー部材によりこれを防止できる。
【発明の効果】
【００１９】
本発明によれば、第１および第２の裏機構枠が回動可能に配設されるので、補修や点検時の作業性が向上する。また、第１および第２の裏機構枠の非回動時には、該第２の裏機構枠が第１の裏機構枠の後方側に重なり合うように構成されているので、前面枠の裏面の限られたスペース内に各装置を効率よく配設することが可能となる。また、第１の裏機構枠を前記前面枠に対して着脱自在に装着したので、機種変更時に遊技盤のみを交換する場合に、画像表示装置がそのまま使用できるものであれば、画像表示装置を残して次の機種でも使用できるようになる。さらに、機種変更で画像表示装置を交換する必要がある場合には、簡単に画像表示装置を別のものに交換することができ、交換時の作業性を極めて高めることができる。
【発明を実施するための最良の形態】
【００２０】
以下、この発明の実施形態について図面を参照して説明する。
ここでは、本発明にかかる遊技機の適例としてのパチンコ遊技機について説明を行う。
【００２１】
図１，３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００２２】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支された第１の裏機構枠１６０、第２の裏機構枠１８０とを有する。
【００２３】
図３に示すように、前面枠本体１３０は、矩形枠状の機枠１１０の前面側をちょうど覆うような概略矩形板状に構成されるとともに、その中央から上端部に渡る部分に、遊技盤１を嵌め込んで収容するための開口部１３１が形成されている。この開口部１３１は、前面枠本体１３０の前後に貫通する略矩形筒状に形成されており、開口部１３１の内周を形成する内周面の前後方向の略中央には、内周面から内側へ向かって垂直に延出する板状の区画壁１３２が形成されている。なお、区画壁１３２の開口部１３１の内側への延出幅は、内周面からの所定範囲であって、開口部１３１の中央部分は前後に貫通した状態となっている。そして、この区画壁１３２の前側が遊技盤を取り付ける遊技盤取付部１３３とされている。すなわち遊技盤１は、前面枠本体１３０に形成された開口部１３１の遊技盤取付部１３３に嵌め込まれることで前面枠１２０に取り付けられるようになっている。そして図１に示すように、遊技盤取付部１３３に取り付けられた遊技盤１の前面には、遊技球が流下する遊技領域１ａが形成され、前面枠本体１３０の前側に臨むようになっている。
【００２４】
この遊技盤取付部１３３に取り付けられる遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００２５】
遊技領域１ａ内には、普図始動ゲート４と、普図変動表示ゲームの未処理回数を表示する普図記憶表示器６（図２に図示）、普図変動表示ゲームを表示する普図表示器５（図２に図示）が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器１５（図２に図示）、特図変動表示ゲームを表示する特図表示器９が設けられている。なお、普図記憶表示器６、普図表示器５、特図記憶表示器１５、特図表示器９は、遊技状態を表す遊技状態表示ＬＥＤと併せて、セグメントＬＥＤとして一体に設けられており、このセグメントＬＥＤが遊技機１００の状態を表示する状態表示器８をなす。
【００２６】
さらに遊技領域１ａには、上端側が手前側に倒れる方向に回動して開放可能になっているアタッカ形式の開閉扉１０ａを有し、補助遊技としての特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００２７】
普図始動ゲート４内には、該普図始動ゲート４を通過した遊技球を検出するための普図始動センサ４ａ（図２に図示）が設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図記憶表示器６にて表示されるようになっている。
【００２８】
普図（普通図柄）変動表示ゲームは、遊技領域１ａ内に設けられた普図表示器５で実行されるようになっている。なお、画像表示装置２００の画像表示面２０１の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図変動表示ゲームの始動が容易となる。
【００２９】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイド（普電ＳＯＬ７ｂ、図２に図示）によって、逆「ハ」の字状に開いて普通変動入賞装置７に遊技球が流入し易い状態（遊技者にとって有利な状態）に変化させられるようになっている。
【００３０】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた特図始動センサ７ｄ（図２に図示）によって遊技球を検出することに基づき、補助遊技としての特図変動表示ゲームを開始する始動権利が発生するようになっている。
【００３１】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００３２】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、ＬＥＤを備える特図記憶表示器にて表示されるようになっている。
【００３３】
補助遊技としての特図（特別図柄、識別情報）変動表示ゲームは、遊技領域１ａ内に設けられた特図表示器９で実行されるようになっており、複数の識別情報を変動表示したのち、所定の結果態様を停止表示することで行われる。また、画像表示装置２００にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置２００の表示態様も特別結果態様（例えば、「７，７，７」等のゾロ目数字の何れか）となる。なお、遊技機１００に特図表示器９を備えずに画像表示装置２００のみで特図変動表示ゲームを実行するようにしても良い。
【００３４】
また、遊技領域１ａの略中央には、特図変動表示ゲームの表示領域を区画する窓部２２を形成するセンターケース２０が取り付けられている。このセンターケース２０に形成された窓部２２の後方には、画像表示装置２００が配されるようになっている。この画像表示装置２００は、例えば、液晶表示装置を備え、表示内容が変化可能な画像表示面２０１がセンターケース２０の窓部２２を介して遊技盤１の前面側から視認可能となるようになっている。なお、後述するように、画像表示装置２００は、前面枠本体１３０に取り付けられた第１の裏機構枠１６０に配されており、前面枠本体１３０に遊技盤１を取り付けることでセンターケース２０により所定の領域が表示領域として区画されるようになっている。
【００３５】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイド（大入賞口開閉ＳＯＬ１０ｂ、図２に図示）により駆動される。また、大入賞口の内部（入賞領域）には、該大入賞口に入った遊技球を検出する検出手段としてのカウントセンサ１０ｃ（図２に図示）が配設されている。
【００３６】
また、遊技領域１ａに設けられた各一般入賞口１２には、一般入賞口１２に入った遊技球を検出するための入賞口センサ１２ａ（図２に図示）が配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が排出装置によって排出される（払い出される）ようになっている。
【００３７】
また、前面枠本体１３０の遊技盤１が嵌め込まれる開口部１３１、すなわち前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４４との間で、遊技盤１の前面に設けられたガイドレール２に囲まれた部分が、遊技球が発射されて流下する遊技領域１ａとされる。
【００３８】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な遊技領域となる間隔を開けて二重のガラス板１４４が固定されている。そして、クリア部材保持枠１４０において、遊技機１００の前側からガラス板１４４を介して遊技盤１の前面側の少なくとも遊技領域１ａの部分が視認可能となっている。また、クリア部材保持枠１４０の前面であって、ガラス板１４４が固定されて遊技領域１ａを視認可能とする部分の周囲には、枠装飾装置としての装飾ランプ・ＬＥＤ１４１、音声を出力するスピーカ１４５，１４５などが設けられている。
【００３９】
また、前面枠本体１３０には、該前面枠本体１３０に軸着されたクリア部材保持枠１４０の開放端側となる前面側から見て右側の端部の裏面に施錠装置１０５（図７に図示）が設けられ、前面側には該施錠装置１０５の鍵穴１４３が形成されている。この施錠装置１０５は、前面枠本体１３０の施錠装置であるとともに、クリア部材保持枠１４０の施錠装置でもあって、鍵穴１４３に鍵を入れて一方（例えば左回り）に回すと前面枠１２０の機枠１１０に対する施錠が解除され、他方（例えば右回り）に回すと前面枠本体１３０に対するクリア部材保持枠１４０の施錠が解除されるようになっている。また、施錠装置１０５は、前面枠１２０が機枠１１０に対して回動不能な状態（閉鎖した状態）となるように施錠した状態では、機枠１１０と電気的に接続するようになっている。さらに、機枠１１０は遊技機１００が設置される島設備と電気的に接続され、静電気を外部に逃がすことができるようになっている。
【００４０】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００４１】
また、前面枠本体１３０の裏面側には、遊技機１００としての諸機能を実現するための機構として、例えば、遊技盤１に設けられた各種入賞口へ入賞して回収された遊技球や何れの入賞口にも入賞せずにアウト穴１１から回収された遊技球を機外の回収球搬送路へ導く遊技球回収機構などが設けられている。また、複数種の遊技盤で共通して使用可能であり、球排出や打球の発射制御を行う排出発射制御装置５０（図２に図示）、各部へ所定の電源を供給する電源供給装置（図示略）等が設けられている。
【００４２】
さらに、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００４３】
また、図２に示すように、遊技機１００は、その制御系として遊技の進行を制御する遊技制御装置３０、この遊技制御装置３０の制御下で各種の演出に関する制御を行うサブ制御装置としての演出制御装置をなす演算制御装置４０を備えている。
【００４４】
遊技制御装置３０は、ＣＰＵ３１ａ、ＲＡＭ３１ｂ、ＲＯＭ３１ｃ等を備える遊技用マイコン３１とともに、入力インタフェース３２（入力Ｉ／Ｆ）、出力インタフェース３３（出力Ｉ／Ｆ）、各種処理の同期やタイマ等のためのパルス信号を出力するクロック（ＣＬＫ）３４（発振器）等により構成されている。
【００４５】
ＣＰＵ３１ａは、制御部、演算部を備え、演算制御を行う他、特図変動表示ゲームの大当たり判定用乱数値などの各種乱数値なども生成している。ＲＡＭ３１ｂは、普通変動入賞装置７および第１始動入賞口１３に設けられた特図始動センサ７ｄのオン信号などを記憶する記憶領域や、前記各種乱数値の記憶領域、並びに、ＣＰＵ３１ａの作業領域等を備えている。ＲＯＭ３１ｃには、遊技上の制御プログラムや制御データが書き込まれている他、上述の各種乱数値に対応して、特図変動表示ゲームの大当り発生を判定するための、特図変動表示ゲームの大当り判定値、変動パターン（リーチアクションの種類）の判定値などが記憶されている。
【００４６】
また、入力インタフェース３２には、ローパスフィルタ及びバッファーゲートを介して、特図始動センサ７ｄ、普図始動センサ４ａ、入賞口センサ１２ａ，１２ａ，…、カウントセンサ１０ｃなどが接続されている。そして、入力インタフェース３２は、これらから入力された各種信号を中継し、ＣＰＵ３１ａに対し出力する。
【００４７】
また、出力インタフェース３３には、ＣＰＵ３１ａから出力される各種の制御信号が入力される。これら制御信号は、該出力インタフェース３３により中継されて、図示しない出力ポート及びドライバを介して、特図表示器９、特図記憶表示器１５、普図表示器５、普図記憶表示器６、普電ＳＯＬ７ｂ、大入賞口開閉ＳＯＬ１０ｂ、遊技機外部の管理装置などと接続する外部通信端子１６、演算制御装置４０、排出発射制御装置５０に出力される。なお、排出発射制御装置５０は、遊技制御装置３０からの制御信号（賞球コマンド）や、球貸機からの制御信号（球貸しコマンド）に基づいて所要数の遊技球（賞球、貸球）を排出装置７０から排出させる制御を行う。また、排出発射制御装置５０には、操作ハンドル１５６からの信号（操作ハンドル１５６に設けられたタッチセンサからの信号や、操作ハンドル１５６の回動角度を判断するための信号）が入力されるようになっており、この入力信号に基づき発射装置を作動、停止する制御や発射勢を調節する制御を行う。
【００４８】
サブ制御装置としての演算制御装置４０は、演算処理用ＣＰＵ４０ａ、ＲＯＭ４０ｂ、ＲＡＭ４０ｃ等を備えるとともに、通信インタフェース４０ｄ（通信Ｉ／Ｆ）、グラフィックプロセッサとしてのＧＤＰ４０ｅ等により構成されている。この演算制御装置４０は、通信インタフェース４０ｄを介して遊技制御装置３０から受信した演出制御データ（各種コマンドなど）に基づいて（遊技制御装置３０の制御の下に）遊技機１００の制御を行うものである。また、通信インタフェース４０ｄには、画像表示装置２００、スピーカ１４５，１５７が接続され、遊技制御装置３０の制御のもとこれらを制御することで遊技の演出を行うようになっている。また、通信インタフェース４０ｄには、画像表示装置２００に表示する遊技盤固有の画像のデータを記憶する記憶手段を有する記憶制御装置４２や、遊技盤１やクリア部材保持枠１４０の装飾装置（演出役物駆動モータ４６、装飾ランプ・ＬＥＤ１４１）を駆動するためのドライバを搭載した駆動制御装置４４が接続され、遊技制御装置３０の制御の下これらを制御することで遊技の演出を行うようになっている。
【００４９】
また、遊技制御装置３０には、電源供給装置から電力が供給されており、その他の装置にも電源供給装置から電力が供給されるようになっている。さらに、電源供給装置には、停電時等の外部からの電力の供給が途絶えた場合でも電力を供給可能とするためのバックアップ電源が備えられ、停電時等に各制御装置の揮発性メモリに保存されたデータの消失を防止するようになっている。
【００５０】
これらの制御回路においては、例えば以下のような制御が行われる。
遊技制御装置３０の遊技用マイコン３１では、普図始動ゲート４に備えられた普図始動センサ４ａからの遊技球の検出信号の入力に基づき、普図の当たり判定用乱数値を抽出してＲＯＭ３１ｃに記憶されている判定値と比較し、普図変動表示ゲームの当たり外れを判定する処理を行う。そして、普図表示器５に、識別図柄を所定時間変動表示した後、停止表示する普図変動表示ゲームを表示する処理を行う。この普図変動表示ゲームの結果が当たりの場合は、普図表示器５に特別の結果態様を表示するとともに、普電ＳＯＬ７ｂを動作させ、普通変動入賞装置７の開閉部材７ａ，７ａを所定時間（例えば、０.５秒間）上述のように開放する制御を行う。なお、普図変動表示ゲームの結果がはずれの場合は、普図表示器５にはずれの結果態様を表示する制御を行う。
【００５１】
また、普通変動入賞装置７および第１始動入賞口１３に備えられた特図始動センサ７ｄからの遊技球の検出信号の入力に基づき、特図の大当たり判定用乱数値を抽出してＲＯＭ３１ｃに記憶されている判定値と比較し、特図変動表示ゲームの当たり外れを判定する処理を行う。また、この他に変動パターンの判定を行う処理などを行い、これらの結果を含む制御信号（演出コマンドや表示指令信号）を、演算制御装置４０に出力する。そして、特図表示器９に、識別図柄を所定時間変動表示した後、停止表示する特図変動表示ゲームを表示する処理を行う。また、演算制御装置４０では、遊技制御装置３０からの制御信号に基づき、記憶制御装置４２に記憶されている画像データをもとに、画像表示装置２００で特図変動表示ゲームに対応した飾り特図変動表示ゲームや背景画像などを表示する処理を行う。すなわち、演算制御装置４０と記憶制御装置４２が、画像表示装置２００の表示制御を行う表示制御装置をなす。また、演算制御装置４０では、遊技制御装置３０からの制御信号に基づき、スピーカ１４５，１５７からの音の出力、枠装飾装置としての装飾ランプ・ＬＥＤ１４１を制御する処理、駆動制御装置４４を介して可動演出装置の演出役物駆動モータ４６を動作する処理を行う。
【００５２】
そして、遊技制御装置３０の遊技用マイコン３１は、特図変動表示ゲームの結果が当たりの場合は、特図表示器９に特別の結果態様を表示するとともに、特別遊技状態を発生させる処理を行う。この特別遊技状態を発生させる処理においては、例えば、大入賞口開閉ＳＯＬ１０ｂにより特別変動入賞装置１０の開閉扉１０ａを開放し、大入賞口内への遊技球の流入を可能とする制御を行う。そして、大入賞口に所定個数（例えば１０個）の遊技球が入賞するか、大入賞口の開放から所定時間（例えば２５秒または１秒）か経過するかの何れかの条件が達成されるまで大入賞口を開放することを１ラウンドとし、これを所定ラウンド回数（例えば１５回または２回）継続する（繰り返す）制御（サイクル遊技）を行う。なお、特図変動表示ゲームの結果がはずれの場合は、特図表示器９にはずれの結果態様を表示する制御を行う。
【００５３】
また、遊技制御装置３０の遊技用マイコン３１は、各種入賞口に設けられたセンサ（特図始動センサ７ｄ、カウントセンサ１０ｃ、入賞口センサ１２ａ）から入力される遊技球の検出信号に基づき、排出発射制御装置５０に制御信号を出力し、排出装置７０を制御して所定数の遊技球が払い出されるようにする。
【００５４】
また、図３から７に示すように、前面枠本体１３０における遊技盤１が取り付けられる遊技盤取付部１３３の後方であって区画壁１３２の後側には、第１の裏機構枠１６０、第２の裏機構枠１８０が配設される裏機構枠配設部１３４が形成されている。なお、開口部１３１における区画壁１３２の後側であって、上側の一部と裏面側から見て右側の一部には、島設備より供給される遊技球を貯留する貯留タンク１０１や貯留タンク１０１から、遊技球を流下誘導する遊技球誘導部材１０２が設けられている。また、球貸要求に応じた球排出や賞球排出を行う排出装置７０や、該排出装置７０から排出された遊技球を上皿１５３に誘導する排出流路が設けられている。よって、これらが設けられた部分を除く部分が裏機構枠配設部１３４とされている。この裏機構枠配設部１３４には、開口部１３１の下側部分を除き、周囲に沿って後方へ延出する囲い壁部１３５が形成され、該囲い壁部１３５には第１の裏機構枠１６０、第２の裏機構枠１８０を回動可能に軸着する軸形成部材１３６、第１の裏機構枠１６０を固定するための係止部１３７、第２の裏機構枠１８０を固定するための固定部１３８が形成されている。
【００５５】
図５から７に示すように、軸形成部材１３６は、開口部１３１の裏面側から見て左側の囲い壁部１３５の上下に二ヶ所設けられている。この軸形成部材１３６は全体が導電性の材質（例えば金属）からなり、第１の裏機構枠１６０を軸支する第１軸部１３６ａと、第２の裏機構枠１８０を軸支軸着する第２軸部１３６ｂと、開口部１３１に隣接して配される施錠装置１０５と電気的に接続する延在部材１３６ｃとを備える。
【００５６】
第１軸部１３６ａは、水平に延出する支持板と、該支持板から上下方向に沿って上方へ延出する第１回動軸１３６ｄとを備えている。そして、第１回動軸１３６ｄを、第１の裏機構枠１６０の軸受部１６２に形成された軸受孔１６２ａに挿通することで、軸受部１６２が支持板により支持されるとともに、第１回動軸１３６ｄを中心として回動可能に支持されるようになる。これにより、第１の裏機構枠１６０が前面枠１２０の裏面に回動可能に軸着されることとなる。また、第１の裏機構枠１６０の軸受部１６２は導電性の材質からなる本体枠１６１に一体に形成されており、第１の裏機構枠１６０を前面枠本体１３０に取り付けることで、第１の裏機構枠１６０と軸形成部材１３６とが電気的に接続されることとなる。
【００５７】
また、第２軸部１３６ｂも、水平に延出する支持板と、該支持板から上下方向に沿って上方へ延出する第２回動軸１３６ｅとを備えている。なお、第１回動軸１３６ｄと第２回動軸１３６ｅは同一の鉛直線上に位置するようになっている。そして、第２回動軸１３６ｅを、第２の裏機構枠１８０の軸受部１８２に形成された軸受孔１８２ａに挿通することで、軸受部１８２が支持板により支持されるとともに、第２回動軸１３６ｅを中心として回動可能に支持されるようになる。これにより、第２の裏機構枠１８０が前面枠１２０の裏面に回動可能に軸着されることとなる。また、第２の裏機構枠１８０の軸受部１８２は導電性の材質からなる本体枠１８１に一体に形成されており、第２の裏機構枠１８０を前面枠本体１３０に取り付けることで、第２の裏機構枠１８０と軸形成部材１３６とが電気的に接続されることとなる。また、第２の裏機構枠１８０は、本体枠１８１における軸受部１８２が形成された側の側部が、制御装置などが配設される部分に対して略垂直に前方へ延出するように略Ｌ字状に形成されている。よって、同一の鉛直線上に位置する第１回動軸１３６ｄと第２回動軸１３６ｅに軸支される第１の裏機構枠１６０と第２の裏機構枠１８０は、図５に示すように裏機構枠配設部１３４に収容されて遊技機１００の左右方向と略平行な状態（非回動状態）では、側部の延出幅の分だけ第２の裏機構枠１８０が第１の裏機構枠１６０の後方に位置する状態で重なり合うようになる。
【００５８】
延在部材１３６ｃは矩形板状に形成され、開口部１３１における裏面側から見て左側に形成された囲い壁部１３５の左側の面（外側の面）に沿って前方に延在するように配されている。さらに、この延在部材１３６ｃの外側の面には、所定の厚みを有し、弾性を有するとともに導電性の接続部材１３９が配されるようになっている。この接続部材１３９は、弾性部材としてのウレタンフォームの周囲を被覆部材としての導電性繊維で被覆したもので、一般的にガスケットとして使用されるものである。この接続部材１３９は、被覆部材で被覆された一側面が、導電性の材質からなる延在部材１３６ｃに導電性の両面テープによって貼り付けられることで取り付けられている。すなわち、接続部材１３９と延在部材１３６ｃとは、電気的に接続した状態となっている。
【００５９】
延在部材１３６ｃが配される囲い壁部１３５における裏面側から見て左側の面に隣接する位置には、裏面側から見て右側の端部が機枠１１０に対して回動可能に軸着される前面枠１２０を、機枠１１０に対して回動不能な状態（閉鎖した状態）で施錠する施錠装置１０５が設けられている。そして、延在部材１３６ｃが導電性の接続部材１３９を介して施錠装置１０５の金属部分に接触することで、軸形成部材１３６と施錠装置１０５とが電気的に接続されるようになる。
【００６０】
これにより、第１の裏機構枠１６０、第２の裏機構枠１８０が軸形成部材１３６、施錠装置１０５と電気的に接続されるようになる。さらに、施錠装置１０５は、機枠１１０の一部（導電性部材）と電気的に接続するようになっており、機枠１１０の一部は遊技機１００が設置される島設備と電気的に接続されるようになっている。よって、第１の裏機構枠１６０および第２の裏機構枠１８０に帯電した静電気を外部へ逃がすことができる。
【００６１】
以上のことから、第１および第２の裏機構枠１６０，１８０は導電性の部材で構成され、前面枠１２０は、前面側に遊技盤を収納する収納空間（遊技盤取付部１３３）を形成可能に後方側に突出する矩形状の囲い壁部１３５を備え、囲い壁部１３５の左右方向外側には前面枠１２０を施錠する導電性の施錠装置１０５が配設され、前面枠１２０の囲い壁部１３５の後端部には、第１および第２の裏機構枠１６０，１８０の回動軸（第１回動軸１３６ｄ、第２回動軸１３６ｅ）を有する導電性の軸形成部材１３６を配設し、軸形成部材１３６には、囲い壁部１３５の左右方向外側面に沿って前方に延在する延在部材１３６ｃが形成され、延在部材１３６ｃの外側に施錠装置１０５が重なり合うように構成し、該延在部材１３６ｃと施錠装置１０５との間に弾性を有するとともに導電性の接続部材１３９を介在させたこととなる。
【００６２】
図７に示すように、係止部１３７は、軸形成部材１３６が設けられた側と対向する側となる、開口部１３１の裏面側から見て右側の囲い壁部１３５の上下に二ヶ所設けられている。この係止部１３７は、囲い壁部１３５を左右に貫通する貫通孔であって、後述する第１の裏機構枠１６０における裏面側から見て右側に突出する係止片１６３の係止突起部１６３ａが、この係止部１３７に挿入されて係止されることで、第１の裏機構枠１６０が前面枠本体１３０に対して回動不能な状態（非回動状態）となるようになっている。
【００６３】
また、固定部１３８は、軸形成部材１３６が設けられた側と対向する側となる、開口部１３１の裏面側から見て右側の囲い壁部１３５における後端の上下に二ヶ所設けられている。なお、囲い壁部１３５は排出装置７０の後端位置まで後方に延出し、固定部１３８を形成する部分が、排出装置７０の背面の後方に重なるように外側へ略直角に折れ曲がって、遊技機１００の左右方向に沿った鉛直面となるように形成されている。この固定部１３８はねじ止め部１３８ａを有し、後述する第２の裏機構枠１８０における裏面側から見て右側に形成された固定片１８３のねじ孔１８３ａに挿通したねじをこのねじ止め部１３８ａに螺合することで、第２の裏機構枠１８０が前面枠本体１３０に対して回動不能な状態（非回動状態）で固定されるようになっている。
【００６４】
図６から１２に示すように、第１の裏機構枠１６０は、導電性の材質（例えば金属）からなる本体枠１６１を有し、裏機構枠配設部１３４に収容可能な大きさの略矩形板状の部材である。この本体枠１６１における前面側から見て右側の端部には、軸受部１６２が上下に二ヶ所形成されている。軸受部１６２は、上下に貫通する軸受孔１６２ａを有しており、この軸受孔１６２ａを、前面枠本体１３０の囲い壁部１３５に設けられた軸形成部材１３６の第１回動軸１３６ｄに上方から嵌合することで、第１の裏機構枠１６０が前面枠１２０の裏面に回動可能に軸支されて扉状に開閉自在となる。このように回動可能に軸支される第１の裏機構枠１６０は、図２に示すように裏機構枠配設部１３４に収容されて遊技機１００の左右方向と略平行な状態（非回動状態）から、図６に示すように後方へ回動して遊技盤の裏面を開放した状態（回動状態）へと回動可能となる。
【００６５】
また、第１の裏機構枠１６０を前面枠本体１３０に取り付けることで、導電性の材質からなる本体枠１６１と、導電性の材質からなる軸形成部材１３６とが電気的に接続されることとなる。これにより、第１の裏機構枠１６０の本体枠１６１が、軸形成部材１３６、施錠装置１０５、機枠１１０を介して島設備に電気的に接続され、帯電した静電気を逃がすことができるようになる。
【００６６】
また、図１１，１２に示すように、本体枠１６１における前面側から見て左側の端部には、係止片１６３が上下に二ヶ所形成されている。この係止片１６３は、上下方向に沿った回動軸１６３ｃにより本体枠１６１に回動可能に軸支されているとともに、回動軸１６３ｃを挟んで前側の部分に外側へ向かって鉤状に突出する係止突起部１６３ａを備え、回動軸１６３ｃを挟んだ後側の部分に係止解除部１６３ｂを備える。係止突起部１６３ａは、前側の面が外側へ向かって後方に傾斜する傾斜面とされ、後側の面は突出方向と略平行な平面とされている。また、係止解除部１６３ｂは、本体枠１６１の裏面側に露出するように配され、手で操作することが可能となっている。そして、係止片１６３は、付勢部材によって回動軸１６３ｃを中心として係止突起部１６３ａの突出方向（外側）へ向かって回動するように付勢されている。
【００６７】
このような係止片１６３は、図６に示すように第１の裏機構枠１６０が前面枠本体１３０の後方へ回動して遊技盤の裏面を開放した回動状態から、図２に示すような裏機構枠配設部１３４に収容される非回動状態となるように前方へ回動させた際に、係止突起部１６３ａの傾斜面が囲い壁部１３５の後端に接触することとなる。そして、囲い壁部１３５の後端に沿って傾斜面が移動することで、係止突起部１６３ａが囲い壁部１３５の内側へ誘導され、係止片１６３が付勢部材の付勢力に抗して回動する。その後、第１の裏機構枠１６０が非回動状態となると、係止突起部１６３ａが係止部１３７と一致するようになり、付勢部材の付勢力により係止突起部１６３ａが外側へ突出して係止部１３７に挿入され、第１の裏機構枠１６０が前面枠本体１３０に固定された状態となる。このように、第１の裏機構枠１６０が裏機構枠配設部１３４に収容されて遊技機１００の左右方向と略平行な状態とされ、かつ、前面枠本体１３０に対して回動不能な状態となった状態が、第１の裏機構枠１６０の非回動時の状態である。
【００６８】
なお、係止を解除する際には、第１の裏機構枠１６０の裏面側から、係止突起部１６３ａとは回動軸を挟んで反対側に形成された係止解除部１６３ｂを外側へ向かって押圧するように操作する。これにより、係止突起部１６３ａが係止部１３７から退避して係止が解除され、第１の裏機構枠１６０を後方へ回動させることが可能となる。
【００６９】
図８から１１に示すように、本体枠１６１の中央には、前後に貫通した矩形状の開口部１６４が形成され、この開口部１６４には液晶表示装置を備えた画像表示装置２００が、画像表示面２０１が前側に臨むように裏面側から取り付けられている。また本体枠１６１における開口部１６４の前側の周囲には、画像表示面２０１を保護するための透明カバー部材２１０を保持する保持部材１６５と、透明カバー部材２１０と本体枠１６１とを電気的に接続するための接地部１６８が形成されている。
【００７０】
保持部材１６５は、透明カバー部材２１０の下部を保持する下部保持部１６６と、上部を保持する上部保持部１６７とを備える。下部保持部１６６は、開口部１６４の左右端部近傍の下方に一つずつ形成されており、透明カバー部材２１０の下端を支持するように水平に前方へ延出する載置部１６６ａと、該載置部１６６ａの前端から垂直に上方へ延出し、透明カバー部材２１０の前面に当接して前方への移動を規制する前方規制部１６６ｂとを備える。載置部１６６ａは、開口部１６４に取り付けられた画像表示装置２００の画像表示面２０１よりも前方へ延出するように形成されている。この載置部１６６ａの延出幅は透明カバー部材２１０の厚みよりも広く、載置部１６６ａ上にその延出幅の範囲で透明カバー部材２１０を前後移動可能な状態で保持可能となっている。
【００７１】
また、上部保持部１６７は、開口部１６４の上部における中央に形成されており、開口部１６４に取り付けられた画像表示装置２００の画像表示面２０１と平行かつ略同じ前後位置に形成された板状の後壁部１６７ａと、該後壁部１６７ａに取り付けられる保持片１６７ｃとを備える。保持片１６７ｃはコ字状の部材で、両側の先端には、後壁部１６７ａに形成された開口１６７ｂに前側から押し込むことで係合して固定される係合突起部１６７ｄが形成されている。後壁部１６７ａとコ字状の保持片１６７ｃとにより形成される空隙の前後幅は、透明カバー部材２１０の厚みよりも広く、載置部１６６ａと同様に、透明カバー部材２１０を前後移動可能な状態で保持可能となっている。
【００７２】
接地部１６８は、開口部１６４の周囲における左右と下側に形成されている。このうち、開口部１６４の下側に形成された接地部１６８は、図１２に示すように、開口部１６４の下側の周囲をなし画像表示装置２００の下側を支持する支持部材１６９の前端に形成されており、画像表示装置２００とも電気的に接続している。また、図９に示すように、開口部１６４の下側に形成された接地部１６８は、左右の下部保持部１６６の間に位置するようになっている。各接地部１６８の前面は、開口部１６４に取り付けられた画像表示装置２００の画像表示面２０１と平行かつ略同じ前後位置に形成されており、その前側には、弾性を有するとともに導電性を有する材質からなる接続部材１７０が配されるようになっている。この接続部材１７０は、弾性部材としてのウレタンフォームの周囲を被覆部材としての導電性繊維で被覆したもので、一般的にガスケットとして使用されるものである。この接続部材１７０は、被覆部材で被覆された一側面が、導電性の材質からなる接地部１６８に導電性の両面テープによって貼り付けられることで取り付けられている。すなわち、接続部材１３９と接地部１６８とは、電気的に接続した状態となっている。また、各接地部１６８に取り付けられる各接続部材１７０における接地部１６８と接触する面は、接地部１６８の前面と同じ大きさ（同じ長さおよび幅）とされ、接地部１６８の前面がちょうど接続部材１７０で覆われるようになっている。これにより、接地部１６８と接続部材１７０との接触面積が最大となり、接続効率が高くなるようになっている。また、開口部１６４の左右と下側の三ヶ所で囲むように接続していることで、より接続効率が高くなる。なお、接続部材１７０の固定は、導電性を有する両面テープのほか、導電性を有する接着剤などで固定するようにしても良い。また、接触する面（接地部と接触する前側の面と、透明カバー部材と接する後側の面）の両方を固定しても良いし、片方のみを固定するようにしても良い。
【００７３】
透明カバー部材２１０は、透明性を有し、かつ、導電性を有する材質で構成したもの、もしくは、ガラスや透明合成樹脂の表面に透明な導電性の膜を形成したもののような導電性を有する透明な材質からなる略矩形板状の部材である。この透明カバー部材２１０は、開口部１６４および開口部１６４の周囲に形成された接地部１６８を前側から覆うことのできる大きさを有する。この透明カバー部材２１０の下端部は、左右の下部保持部１６６の間に位置する中央部分が下方に膨出するように形成された膨出部２１１とされ、開口部１６４の下側に形成された接地部１６８を覆うことができるようにされている。また、膨出部２１１の左右の段部２１２を下部保持部１６６が保持することで、下部保持部１６６から透明カバー部材２１０が脱落しないようにされている。また、透明カバー部材２１０の上端部の中央であって上部保持部１６７と対応する部分は、上方へ突出した被保持部２１３が形成されている。
【００７４】
このような透明カバー部材２１０は、図８に示すように、下端が下部保持部１６６の載置部１６６ａに載置されるとともに、上部の被保持部２１３が、後壁部１６７ａと保持片１６７ｃにより形成される空隙で保持されることで本体枠１６１に取り付けられるようになっている。このとき下部保持部１６６では、載置部１６６ａの延出幅の分だけ透明カバー部材２１０が前後移動可能に保持される。また、上部保持部１６７では、後壁部１６７ａと保持片１６７ｃとにより形成される空隙の前後幅の分だけ透明カバー部材２１０が前後移動可能に保持されるようになっている。これにより透明カバー部材２１０が本体枠１６１に対して前後移動可能に取り付けられることとなる。
【００７５】
さらに、接地部１６８の前面に取り付けられた接続部材１７０が透明カバー部材２１０の裏面に当接し、本体枠１６１と透明カバー部材２１０とが電気的に接続された状態となる。ここで、接続部材１７０の前後幅は、透明カバー部材２１０が前後の移動範囲における前端の位置にある状態での接地部１６８と透明カバー部材２１０の裏面との間隔よりも広いものとされている。よって、外部から力が加わっていない状態では、接続部材１７０の弾性力により、透明カバー部材２１０が前後の移動範囲における前端の位置に配設されるようになっている。このように透明カバー部材２１０が前後移動可能であるとともに、接続部材１７０により前方へ押圧された状態となっていることで、常に本体枠１６１と透明カバー部材２１０が接触した状態となるため両者の電気的な接続を確保することができる。上述したように、本体枠１６１は、軸形成部材１３６、施錠装置１０５、機枠１１０を介して島設備に電気的に接続されているため、透明カバー部材２１０や画像表示装置２００に帯電した静電気を逃がすことができる。これにより、透明カバー部材２１０にゴミやホコリが付着して表示画像の見栄えが悪くなるといったことを防止できる。また、接続部材１７０を介在することにより透明カバー部材２１０と本体枠１６１との電気的な接続効率をよくすることができ、上記効果をより高めることができる。また、所定の厚みを有する接続部材１７０を配したことにより、画像表示面２０１と透明カバー部材２１０との間に隙間が形成されるようになり、画像表示装置２００から発生する熱により透明カバー部材２１０が変形することを防止できる。また、接続部材１７０は、画像表示面２０１の上側を除く左右と下側の三ヶ所に設けられ、かつ、各辺の一部に配されている（角部には配されずに途中で途切れている）ので、画像表示面２０１の周囲が完全に囲まれず、画像表示装置２００から発生する熱が内部にこもることを防止でき、透明カバー部材２１０が変形することを防止できる。
【００７６】
また、遊技盤取付部１３３に遊技盤を取り付け、第１の裏機構枠１６０を非回動状態とすることで、透明カバー部材２１０の前面に、遊技盤１に設けられた画像表示領域を区画するためのセンターケース２０の後端が当接することとなる。これにより、画像表示面２０１の所定の領域が表示領域として区画されるようになる。このとき、透明カバー部材２１０が接続部材１７０により前方へ押圧された状態となっていることで、センターケース２０の後方への突出幅に合わせて透明カバー部材２１０が後方へ移動するようになり、センターケース２０の後端部と透明カバー部材２１０との間に隙間が生じてしまうことを防止できる。
【００７７】
以上のことから、第１の裏機構枠１６０は、画像表示装置２００を取付可能とするとともに画像表示面２０１を前方に臨ませる開口部１６４が形成された本体枠１６１と、本体枠１６１に取り付けられた画像表示装置２００の前方を覆う状態で当該本体枠１６１に取り付けられる透明合成樹脂製の透明カバー部材２１０と、を含み、本体枠１６１および透明カバー部材２１０の各々を導電性を有する部材で構成し、本体枠１６１における開口部１６４の縁部と透明カバー部材２１０との間に弾性を有するとともに導電性の接続部材１７０を介在させたこととなる。
【００７８】
また、第１の裏機構枠１６０は、透明カバー部材２１０を前後方向に移動可能に保持する保持部材１６５を備え、接続部材１７０により透明カバー部材２１０を保持部材１６５における移動可能な最前方位置まで押圧するようにしたこととなる。
【００７９】
また、第１裏機構枠１６０の裏面には、配線を中継するための中継基板１７１や、画像表示装置２００に設けられた液晶表示装置を駆動するためのインバーター装置２０２が配設されている。インバーター装置２０２は、第１の裏機構枠１６０の裏面であって、画像表示装置２００が取り付けられる開口部１６４の裏面側から見て左側に配設されている。このインバーター装置２０２は、インバーター基板２０２ａとこれを収納する収納ケース２０２ｂとからなり、インバーター基板２０２ａが画像表示装置２００と接続されるようになっている。このように、インバーター装置２０２を第１の裏機構枠１６０の背面側であって、画像表示装置２００の側方に配設することにより、効率よく各装置を配置することができる。
【００８０】
また、本体枠１６１におけるインバーター装置２０２が配設される部分には、インバーター装置２０２の上部を覆う上部カバー部材１７２が形成されている。この上部カバー部材１７２は、第１の裏機構枠１６０の上方に配される貯留タンク１０１から落下する遊技球がインバーター装置２０２に衝突することを防止するためのもので、後述するように第１の裏機構枠１６０の後方に配される第２の裏機構枠１８０に形成されるカバー部材１８５の上端部まで延出するように形成されている。
【００８１】
図４から７、１３、１４に示すように、第２の裏機構枠１８０は、導電性の材質（例えば金属）からなる本体枠１８１を有し、第１の裏機構枠１６０の後方を覆って、裏機構枠配設部１３４の後方をちょうど閉鎖する大きさを有する略矩形板状の部材である。この本体枠１８１における前面側から見て右側の端部には、軸受部１８２が上下に二ヶ所形成されている。軸受部１８２は、上下に貫通する軸受孔１８２ａを有しており、この軸受孔１８２ａを、前面枠本体１３０の囲い壁部１３５に設けられた軸形成部材１３６の第２回動軸１３６ｅに上方から嵌合することで、第２の裏機構枠１８０が前面枠１２０の裏面に回動可能に軸支されて扉状に開閉自在となる。このように回動可能に軸支される第２の裏機構枠１８０は、図４，５に示すように、裏機構枠配設部１３４に収容されて遊技機１００の左右方向と略平行な状態（非回動状態）から、図６に示すように、後方へ回動して第１の裏機構枠１６０の裏面を開放した状態（回動状態）へと回動可能となる。また、第１の裏機構枠１６０および第２の裏機構枠１８０が非回動状態にあるときには、第２の裏機構枠１８０が第１の裏機構枠１６０の後方側に重なり合うようになっている。
【００８２】
また、第２の裏機構枠１８０を前面枠本体１３０に取り付けることで、導電性の材質からなる本体枠１８１と、導電性の材質からなる軸形成部材１３６とが電気的に接続されることとなる。これにより、第２の裏機構枠１８０の本体枠１８１が、軸形成部材１３６、施錠装置１０５、機枠１１０を介して島設備に電気的に接続され、帯電した静電気を逃がすことができるようになる。
【００８３】
また、図７に示すように、本体枠１８１の前面側から見て左側の端部には、固定片１８３が上下に二ヶ所形成されている。この固定片１８３はねじ孔１８３ａを有し、このねじ孔１８３ａに挿通したねじを、前面枠本体１３０の囲い壁部１３５に形成された固定部１３８のねじ止め部１３８ａに螺合することで図４、５に示すように第２の裏機構枠１８０が前面枠本体１３０に対して回動不能な状態で固定される。このように、第２の裏機構枠１８０が裏機構枠配設部１３４に収容されて遊技機１００の左右方向と略平行な状態とされ、かつ、前面枠本体１３０に対して回動不能な状態となった状態が、第２の裏機構枠１８０の非回動時の状態である。なお、固定片１８３は本体枠１８１における制御装置などが配設される部分に対して後方に延出するとともに、後端が外側へ略垂直に折れ曲がった略Ｌ字状に形成されている。これにより、排出装置７０の背面の後方に重なるように形成された固定部１３８よりも本体部１８１を前側の位置に固定でき、図５に示すように第２裏機構枠１８０が裏機構枠配設部１３４に収容されて遊技機１００の左右方向と略平行な状態（非回動状態）では、排出装置７０の後端よりも前方に位置するようになる。
【００８４】
また、図１４に示すように、本体枠１８１の裏面には、遊技機１００を制御する制御装置として、演算制御装置４０、記憶制御装置４２、駆動制御装置４４、遊技制御装置３０が配設されている。演算制御装置４０は、画像表示装置２００の表示制御を行う表示制御装置をなすものであって、複数種の遊技盤で共通して使用可能な演算機能を有する。この演算制御装置４０は、本体枠１８１の裏面における上部にねじにより固定されるようになっており、その裏面には他の装置と接続するためのコネクタ４１が設けられている。
【００８５】
演算制御装置４０の裏面には、画像表示装置２００の表示制御を行う表示制御装置をなし、画像表示装置２００に表示する遊技盤固有の画像のデータを記憶する記憶手段（ＲＯＭ）を有する記憶制御装置４２が取り付けられている。記憶制御装置４２は、前面側に演算制御装置４０の裏面に設けられたコネクタ４１と接続可能なコネクタ（図示略）を有し、このコネクタを接続した状態で、本体枠１８１に対してねじにより固定可能な取付部材４２ａを、記憶制御装置４２の後方から覆うように取り付けることで、演算制御装置４０の裏面に固定されるようになっている。
【００８６】
このように、遊技盤固有の機能を有する記憶制御装置４２を、複数種の遊技盤で共通して使用可能な演算制御装置４０の裏面に取り付けるようにしたことで、遊技盤の交換の際に容易に記憶制御装置４２を交換することができる。また、複数種の遊技盤で共通して使用可能な演算制御装置４０と、遊技盤固有の機能を有する記憶制御装置４２とを別体としたので、機種変更時に演算制御装置４０を残して記憶制御装置４２のみを交換すればよく、交換時の効率を更に高めることができる。
【００８７】
以上のことから、表示制御装置は、第２の裏機構枠１８０の背面側に取り付けられ、複数種の遊技盤で共通して使用可能な演算機能を有する演算制御装置４０と、演算制御装置４０に対してコネクタ４１を介して電気的に接続された状態で取り付けられ、画像表示装置２００に表示する遊技盤固有の画像のデータを記憶する記憶手段を有する記憶制御装置４２と、から構成されていることとなる。
【００８８】
駆動制御装置４４は、遊技盤１の装飾装置（演出役物駆動モータ４６、装飾ランプ・ＬＥＤ１４１）を駆動するためのドライバを搭載したものであって、遊技盤固有の制御装置である。この駆動制御装置４４は。本体枠１８１の裏面における演算制御装置４０の下部にねじにより固定されるようになっており、その裏面には他の装置と接続するためのコネクタ４５が設けられている。
【００８９】
遊技制御装置３０は、遊技の進行を制御するとともに表示制御装置（演算制御装置４０）に対して表示指令信号を送信するものであって、遊技盤固有の制御装置である。この遊技制御装置３０は、本体枠１８１の裏面における下部にねじにより固定された取付ベース３０ｂに対して着脱可能に取り付けられるようになっており、遊技盤の交換の際に容易に遊技制御装置３０を交換することができるようになっている。また、遊技制御装置３０の裏面には他の装置と接続するためのコネクタ３０ａが設けられている。
【００９０】
以上のことから、第２の裏機構枠１８０の背面側には、遊技の進行を制御するとともに表示制御装置（演算制御装置４０）に対して表示指令信号を送信する遊技制御装置３０と、遊技盤の装飾装置（演出役物駆動モータ４６、装飾ランプ・ＬＥＤ１４１）を駆動するためのドライバを搭載した駆動制御装置４４と、を配設したこととなる。
【００９１】
以上のように各種装置を配設することで、各装置を前面枠１２０の裏面に更に効率よく配置することができる。また、本体枠１８１における駆動制御装置４４の下方の位置には、前後に貫通する配線用開口１８４が形成されており、第２の裏機構枠１８０の裏面に配される各種装置と、第２の裏機構枠１８０の前方に配される各種装置の接続が可能となっている。
【００９２】
また、本体枠１８１の前面から見て右上部には、第１の裏機構枠１６０の裏面に配設されたインバーター装置２０２を覆うカバー部材１８５が形成されている。このカバー部材１８５は、後方に膨出するように形成されており、第１の裏機構枠１６０および第２の裏機構枠１８０を非回動状態とした際に、インバーター装置２０２の左右側部と後方および下方を覆うようになっている。上述したように、第１の裏機構枠１６０の後方にはインバーター装置２０２の上部を覆う上部カバー部材１７２が後方に延出するように形成されており、この上部カバー部材１７２と、第１裏機構枠１６０の本体枠１６１の裏面と、第２の裏機構枠１８０に形成されたカバー部材１８５とで、インバーター装置２０２の周囲が完全に覆われるようになる。これにより、第１の裏機構枠１６０の上方に配される貯留タンク１０１から落下する遊技球がインバーター装置２０２に衝突することを防止することができる。
【００９３】
以上のことから、第１の裏機構枠１６０の背面側には、画像表示装置２００としての液晶表示装置を駆動するためのインバーター装置２０２が配設され、第１の裏機構枠１６０におけるインバーター装置２０２の上部には、当該インバーター装置２０２の上部を覆う上部カバー部材１７２を第２の裏機構枠１８０の上端部まで延出するように形成したこととなる。
【００９４】
以上のような構成を有する第１の裏機構枠１６０、第２の裏機構枠１８０は、遊技機１００を使用する際（遊技を行う際）には、両方とも非回動時の状態とする。これにより、図２に示すように、第１の裏機構枠１６０の前面に位置する画像表示面２０１が、遊技盤取付部１３３の後方に面するようになる。この状態で、図１に示すように遊技盤１を取り付けることで、センターケース２０の窓部２２を通して、画像表示面２０１を視認可能となる。また、第２の裏機構枠１８０は、図４、５に示すように、第１の裏機構枠１６０の裏面に重合した状態となる。
【００９５】
そして、遊技盤１を交換する際には、遊技盤固有の制御装置である、記憶制御装置４２、駆動制御装置４４、遊技制御装置３０も交換する。これらの制御装置は、第２の裏機構枠の裏面に配されており、遊技機の後方に露出した状態となっているので、容易に交換することができる。また、第２の裏機構枠１８０自体を補修、点検、交換する必要がある場合には、第２の裏機構枠１８０の固定片１８３による固定を解除して第２の裏機構枠１８０を後方に回動する。さらに、この状態で第２の裏機構枠１８０を上方へ持ち上げれば、第２回動軸１３６ｅが軸受部１８２の軸受孔１８２ａから抜けて接続が解除され、容易に第２裏機構枠１８０を取り外すことができる。
【００９６】
また、第１の裏機構枠１６０自体を補修、点検、交換する必要がある場合には、まず、第２の裏機構枠１８０の固定片１８３による固定を解除して第２の裏機構枠１８０を後方に回動する。その後、第１の裏機構枠１６０に設けられた係止片１６３の係止解除部１６３ｂを操作して固定を解除し、第１の裏機構枠１６０を後方に回動して、図６に示すように、第１の裏機構枠１６０と第２の裏機構枠１８０とが後方に回動した回動状態とする。この状態では、第１の裏機構枠１６０と第２の裏機構枠１８０は独立して回動可能であり、補修や点検の作業が容易となる。
【００９７】
また、図６に示すように、第１の裏機構枠１６０と第２の裏機構枠１８０とが後方に回動した回動状態では、第１の裏機構枠１６０と第２の裏機構枠１８０はそれぞれ独立して着脱可能となる。よって、この状態で、第１の裏機構枠１６０を上方へ持ち上げれば、第１回動軸１３６ｄが軸受部１６２の軸受孔１６２ａから抜けて接続が解除され、第１裏機構枠１６０を取り外すことができる。これにより容易に画像表示装置を交換することができる。なお、この状態で第２の裏機構枠１８０を上方へ持ち上げれば、第２回動軸１３６ｅが軸受部１８２の軸受孔１８２ａから抜けて接続が解除され、第２裏機構枠１８０を取り外すことができる。
【００９８】
このように、第１の裏機構枠１６０および第２の裏機構枠１８０が回動可能に配設されていることで、補修や点検時の作業性を向上することができる。また、第１の裏機構枠１６０および第２の裏機構枠１８０の非回動時には、該第２の裏機構枠１８０が第１の裏機構枠１６０の後方側に重なり合うように構成されているので、前面枠１２０の裏面の限られたスペース内に各装置を効率よく配設することが可能となる。また、第１の裏機構枠１６０を前面枠１２０に対して着脱自在に装着したので、機種変更時に遊技盤のみを交換する場合に、画像表示装置２００がそのまま使用できるものであれば、画像表示装置２００を残して次の機種でも使用できるようになる。さらに、機種変更で画像表示装置２００を交換する必要がある場合には、簡単に画像表示装置２００を別のものに交換することができ、交換時の作業性を極めて高めることができる。
【００９９】
以上のことから、遊技領域を形成する遊技盤と、該遊技盤を着脱可能に装着する前面枠１２０と、を備え、該遊技盤の後方に変動表示ゲームを表示する画像表示装置２００を備えた遊技機１００であって前面枠１２０の裏面に回動可能に軸着され、画像表示装置２００を配設するための第１の裏機構枠１６０と、前面枠１２０の裏面に回動可能に軸着され、画像表示装置２００の表示制御を行う表示制御装置（演算制御装置４０、記憶制御装置４２）を配設するための第２の裏機構枠１８０と、を備えるとともに、第１および第２の裏機構枠１６０，１８０の非回動時には、該第２の裏機構枠１８０が第１の裏機構枠１６０の後方側に重なり合うように構成し、第１の裏機構枠１６０を前面枠１２０に対して着脱自在に装着したこととなる。
【０１００】
次に、上述した実施形態の遊技機の変形例について図１５を参照して説明する。なお、基本的には、上述の実施形態の遊技機と同様の構成を有しており、以下、同じ構成には同じ符号を付して詳細な説明を省略し、主に異なる部分について説明する。本変形例の遊技機は、前面枠本体１３０に対して第１の裏機構枠１６０を前後移動可能に取り付けるようにしている。
【０１０１】
本変形例の第１の裏機構枠１６０は、軸受部１６２に形成された軸受孔２２１が前後に延在する長孔とされ、第１の裏機構枠１６０が非回動状態にある状態で、第１回動軸１３６ｄに対して軸受部１６２が前後移動可能となるようにされている。また、第１の裏機構枠１６０における軸着された側と対向する側の端部を係止する囲い壁部１３５に形成された係止部１３７の貫通孔も、前後に所定の長さを有するように形成され、第１の裏機構枠１６０が非回動状態にある状態で、係止部１３７に対して前後移動可能となるようにされている。これにより、第１裏機構枠１６０は非回動状態にある状態で、所定の範囲で前面枠本体１３０に対して前後移動可能となる。さらに、非回動状態で第１裏機構枠１６０の後方に重なり合うように配される第２の裏機構枠１８０の前面には、第１の裏機構枠１６０を前方へ押圧する押圧部材２２３が設けられている。
【０１０２】
このような構成により、第１の裏機構枠１６０の前方に配される遊技盤に設けられた画像表示領域を区画するためのセンターケース２０の後端端部の後方への突出幅が異なる場合でも対応することが可能となる。すなわち、遊技盤の交換時に、センターケース２０の後端部の後方への突出幅に合わせて第１の裏機構枠１６０の前後位置が変化するようになるため、透明カバー部材２１０のみが前後移動可能である場合よりもより確実に、遊技盤の変更時にセンターケース２０の後端部と透明カバー部材２１０との間に隙間が生じてしまうことを防止できる。
【０１０３】
以上のことから、第１の裏機構枠１６０は、前後動可能に軸着され、第２の裏機構枠１８０の前面に第１の裏機構枠１６０を前方側に押圧する押圧部材２２３を備えたこととなる。
【０１０４】
以上のような遊技機１００は、遊技領域１ａを形成する遊技盤１と、該遊技盤１を着脱可能に装着する前面枠１２０と、を備え、該遊技盤１の後方に変動表示ゲームを表示する画像表示装置２００を備えた遊技機１００であって前面枠１２０の裏面に回動可能に軸着され、画像表示装置２００を配設するための第１の裏機構枠１６０と、前面枠１２０の裏面に回動可能に軸着され、画像表示装置２００の表示制御を行う表示制御装置（演算制御装置４０、記憶制御装置４２）を配設するための第２の裏機構枠１８０と、を備えるとともに、第１および第２の裏機構枠１６０，１８０の非回動時には、該第２の裏機構枠１８０が第１の裏機構枠１６０の後方側に重なり合うように構成し、第１の裏機構枠１６０を前面枠１２０に対して着脱自在に装着している。
【０１０５】
したがって、第１および第２の裏機構枠１６０，１８０が回動可能に配設されるので、補修や点検時の作業性が向上する。また、第１および第２の裏機構枠１６０，１８０の非回動時には、該第２の裏機構枠１８０が第１の裏機構枠１６０の後方側に重なり合うように構成されているので、前面枠１２０の裏面の限られたスペース内に各装置を効率よく配設することが可能となる。また、第１の裏機構枠１６０を前面枠１２０に対して着脱自在に装着したので、機種変更時に遊技盤１のみを交換する場合に、画像表示装置２００がそのまま使用できるものであれば、画像表示装置２００を残して次の機種でも使用できるようになる。さらに、機種変更で画像表示装置２００を交換する必要がある場合には、簡単に画像表示装置２００を別のものに交換することができ、交換時の作業性を極めて高めることができる。
【０１０６】
また、表示制御装置は、第２の裏機構枠１８０の背面側に取り付けられ、複数種の遊技盤で共通して使用可能な演算機能を有する演算制御装置４０と、演算制御装置４０に対してコネクタ４１を介して電気的に接続された状態で取り付けられ、画像表示装置２００に表示する遊技盤固有の画像のデータを記憶する記憶手段を有する記憶制御装置４２と、から構成されている。
【０１０７】
したがって、表示制御装置は、第２の裏機構枠１８０の背面側に取り付けられ、複数種の遊技盤で共通して使用可能な演算機能を有する演算制御装置４０と、演算制御装置４０に対してコネクタ４１を介して電気的に接続された状態で取り付けられ、画像表示装置２００に表示する遊技盤固有の画像のデータを記憶する記憶手段を有する記憶制御装置４２と、から構成されているので、機種変更時に演算制御装置４０を残して記憶制御装置４２のみを交換すればよいので交換時の効率を更に高めることができる。
【０１０８】
また、第２の裏機構枠１８０の背面側には、遊技の進行を制御するとともに表示制御装置（演算制御装置４０）に対して表示指令信号を送信する遊技制御装置３０と、遊技盤１の装飾装置（演出役物駆動モータ４６、装飾ランプ・ＬＥＤ１４１）を駆動するためのドライバを搭載した駆動制御装置４４と、を配設している。
【０１０９】
したがって、第２の裏機構枠１８０の背面側には、遊技の進行を制御するとともに表示制御装置に対して表示指令信号を送信する遊技制御装置３０と、遊技盤１の装飾装置を駆動するためのドライバを搭載した駆動制御装置４４と、を配設したので、各装置を前面枠１２０の裏面に更に効率よく配置することができる。
【０１１０】
また、第１の裏機構枠１６０は、前後動可能に軸着され、第２の裏機構枠１８０の前面に第１の裏機構枠１６０を前方側に押圧する押圧部材２２３を備えている。
【０１１１】
したがって、第１の裏機構枠１６０は、前後動可能に軸着され、第２の裏機構枠１８０の前面に第１の裏機構枠１６０を前方側に押圧する押圧部材２２３を備えたので、遊技盤１に配設されたセンターケース２０の後方突出部の長さが変化しても、その長さに合わせて第１の裏機構枠１６０の前後位置が変化するので、遊技盤１の変更時にセンターケース２０と第１の裏機構枠１６０との間に隙間が形成されてしまうといった課題を解決できる。
【０１１２】
また、第１および第２の裏機構枠１６０，１８０は導電性の部材で構成され、前面枠１２０は、前面側に遊技盤１を収納する収納空間（遊技盤取付部１３３）を形成可能に後方側に突出する矩形状の囲い壁部１３５を備え、囲い壁部１３５の左右方向外側には前面枠１２０を施錠する導電性の施錠装置１０５が配設され、前面枠１２０の囲い壁部１３５の後端部には、第１および第２の裏機構枠１６０，１８０の回動軸（第１回動軸１３６ｄ、第２回動軸１３６ｅ）を有する導電性の軸形成部材１３６を配設し、軸形成部材１３６には、囲い壁部１３５の左右方向外側面に沿って前方に延在する延在部材１３６ｃが形成され、延在部材１３６ｃの外側に施錠装置１０５が重なり合うように構成し、該延在部材１３６ｃと施錠装置１０５との間に弾性を有するとともに導電性の接続部材１３９を介在している。
【０１１３】
したがって、第１および第２の裏機構枠１６０，１８０は導電性の部材で構成され、前面枠１２０は、前面側に遊技盤１を収納する収納空間を形成可能に後方側に突出する矩形状の囲い壁部１３５を備え、囲い壁部１３５の左右方向外側には前面枠１２０を施錠する導電性の施錠装置１０５が配設され、前面枠１２０の囲い壁部１３５の後端部には、第１および第２の裏機構枠１６０，１８０の回動軸を有する導電性の軸形成部材１３６を配設し、軸形成部材１３６には、囲い壁部１３５の左右方向外側面に沿って前方に延在する延在部材１３６ｃが形成され、延在部材１３６ｃの外側に施錠装置１０５が重なり合うように構成し、該延在部材１３６ｃと施錠装置１０５との間に弾性を有するとともに導電性の接続部材１３９を介在させたので、第１および第２の裏機構枠１６０，１８０に帯電した静電気を逃がすことができる。
【０１１４】
また、第１の裏機構枠１６０の背面側には、画像表示装置２００としての液晶表示装置を駆動するためのインバーター装置２０２が配設され、第１の裏機構枠１６０におけるインバーター装置２０２の上部には、当該インバーター装置２０２の上部を覆う上部カバー部材１７２を第２の裏機構枠１８０の上端部まで延出するように形成している。
【０１１５】
したがって、第１の裏機構枠１６０の背面側には、画像表示装置２００としての液晶表示装置を駆動するためのインバーター装置２０２が配設され、第１の裏機構枠１６０におけるインバーター装置２０２の上部には、当該インバーター装置２０２の上部を覆う上部カバー部材１７２を第２の裏機構枠１８０の上端部まで延出するように形成したので、インバーター装置２０２を第１の裏機構枠１６０の背面側に配設することにより効率よく各装置を配置することができる。また、インバーター装置２０２を第１の裏機構枠１６０の背面に配設すると、上方（貯留タンク１０１）から落下する遊技球がインバーター装置２０２に衝突して故障してしまう虞があるが、上部カバー部材１７２によりこれを防止できる。
【０１１６】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１１７】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１８】
【図１】本発明を適用した一実施の形態の構成を示す遊技機の正面図である。
【図２】遊技機の制御系の一部を示すブロック図である。
【図３】前面枠本体の正面図である。
【図４】前面枠本体の裏面図である。
【図５】前面枠本体の裏面側から見た斜視図である。
【図６】前面枠本体の裏面側から見た斜視図であって、第１の裏機構枠および第２の裏機構枠を回動した状態を示す図である。
【図７】前面枠本体の裏面側から見た分解斜視図である。
【図８】第１の裏機構枠の前面側から見た斜視図である。
【図９】第１の裏機構枠の前面側から見た分解斜視図である。
【図１０】第１の裏機構枠の裏面側から見た斜視図である。
【図１１】第１の裏機構枠の裏面側から見た分解斜視図である。
【図１２】第１の裏機構枠の左側面図である。
【図１３】第２の裏機構枠の前面側から見た斜視図である。
【図１４】第２の裏機構枠の裏面側から見た分解斜視図である。
【図１５】変形例にかかる遊技機の、第１の裏機構枠および第２の裏機構枠の上面図である。
【符号の説明】
【０１１９】
１        遊技盤
１ａ      遊技領域
２０      センターケース
３０      遊技制御装置
４０      演算制御装置（表示制御装置）
４１      コネクタ
４２      記憶制御装置（表示制御装置）
４４      駆動制御装置
４６      演出役物駆動モータ（装飾装置）
１００    遊技機
１０１    貯留タンク
１０５    施錠装置
１２０    前面枠
１３３    遊技盤取付部（収納空間）
１３５    囲い壁部
１３６    軸形成部材
１３６ｃ  延在部材
１３６ｄ  第１回動軸（回動軸）
１３６ｅ  第２回動軸（回動軸）
１３９    接続部材
１４１    装飾ランプ・ＬＥＤ（装飾装置）
１６０    第１の裏機構枠
１７２    上部カバー部材
１８０    第２の裏機構枠
２００    画像表示装置
２０２    インバーター装置
２２３    押圧部材
【図１】
0004797034.tif 000002
【図２】
0004797034.tif 000003
【図３】
0004797034.tif 000004
【図４】
0004797034.tif 000005
【図５】
0004797034.tif 000006
【図６】
0004797034.tif 000007
【図７】
0004797034.tif 000008
【図８】
0004797034.tif 000009
【図９】
0004797034.tif 000010
【図１０】
0004797034.tif 000011
【図１１】
0004797034.tif 000012
【図１２】
0004797034.tif 000013
【図１３】
0004797034.tif 000014
【図１４】
0004797034.tif 000015
【図１５】
0004797034.tif 000016